(57)【特許請求の範囲】
【請求項１】
２段階の成形を行う電熱式まつげ成形器において、
まつげ成形に適した形状の成形型を先端に備え移動可能に配置されたパッドと、前記パッドの側面に沿い上下方向に摺動操作可能な補助パッドと、先端に成形型を備える固定的なパッド受けと、前記補助パッドに露出するように保持され前記パッド及び前記パッド受けにそれぞれ接触可能である電熱板とを備え、
前記パッドと前記補助パッドとは、前記パッドと前記パッド受けとの間にまつげを挟持して該まつげの第１段階の成形を行うように前記電熱板が前記パッドに接触した状態で共に上昇可能であり、また前記補助パッドは、前記第１段階の成形後に前記電熱板が前記パッド受けに当接して前記まつげの毛先を上方向へ押し上げる第２段階の成形を行うように単独で上昇可能である、電熱式まつげ成形器。
【請求項２】
前記電熱板は、これを保持する前記補助パッドの、前記パッドと対向接触する位置に設けた貫通する窓部に前記パッドと前記電熱板面が接触するように落とし込み、前記電熱板の両端部を、前記窓部内側面両端に段差状に設けた支持部に載置した後、前記パッドと接触する側の反対側から押さえ部材を窓部に嵌合することによって取り付けるようにしたことを特徴とする、請求項１に記載の電熱式まつげ成形器。
【請求項３】
前記電熱板は、人体のまつげの根元の曲線にあわせた曲線を備えた板状であって、その両端は前記電熱板を保持する前記補助パッドの窓部内側面両端の支持部に載置可能な形状としたことを特徴とする、請求項１又は２に記載の電熱式まつげ成形器。
【請求項４】
前記パッド及び前記補助パッドを上昇下降させる操作つまみと、前記電熱板の通電をオン、オフするスイッチつまみとはそれぞれ別に設け、前記スイッチつまみを前記操作つまみの操作線上に配置することによって、前記スイッチつまみを単独に操作するか、あるいは操作つまみの操作によってスイッチつまみが押圧され連動操作されるか、いずれも可能としたことを特徴とする、請求項１、２又は３に記載の電熱式まつげ成形器。
【請求項５】
前記まつげ成形器本体外形を形成するハウジングの先端から露出する、前記パッド、前記補助パッド及び前記パッド受けをカバーする着脱可能なキャップを設け、不使用時には前記キャップを装着して前記部分をカバーすることを特徴とする、請求項１、２、３又は４に記載の電熱式まつげ成形器。
【請求項６】
前記キャップの装着により、該キャップの端部がスイッチつまみを押圧することによってスイッチが操作され、前記電熱板の通電が絶たれるようにしたことを特徴とする、請求項５に記載の電熱式まつげ成形器。
【発明の詳細な説明】
【０００１】
【発明の属する技術分野】
本発明は美容器具に関し、特に女性の美容器具として用いられるまつげ成形器に関する。
【０００２】
【従来の技術】
女性の化粧テクニックは近年非常に向上しているが、その理由の一つに美容器具の普及がある。実にさまざまな美容器具が市販されているが、その中で、まつげのカールに関しては、ビューラーとして近年、従来からの単純な構造の器具に加えて、電熱を利用して効率的にカールする器具も普及しつつあり、電池を用いて携帯用としたものも市場に存在する。
【０００３】
【発明が解決しようとする課題】
電熱を利用して効率的にカールしようとする電熱式まつげ成形器において、従来のものは、まつげを挟んでカールさせる温熱パッドが２パッド式であり、電熱線を装備した部品が二つとなっている。また、パッドを上下させるレバーと電熱手段をオンするスイッチとが連動しており、パッドが上に上がってから電熱オンとなるのでまつげを挟んだまま温度が上がるまで保持していなければならず、実際には温度が上がる前に使用者が保持を止めてしまうのでうまく動作させることができない。このようなことを避けるためには、瞬時に温度が上がるようにしなければならないので、消費電力が多くなるのを承知でヒーターの温度を高く設定しなければならない。この場合、ヒーターはゴムパッドに埋め込まれたヒーターであるのでゴムを介しての熱伝導が悪く、更に熱効率が悪化してしまう。
【０００４】
また、ゴムパッドは消耗品であることは公知であるが、従来のものは前記のように二つあるゴムパッドにそれぞれヒーターが埋め込まれているので、消耗品費がどうしても嵩むことになる。本発明は、このような従来の課題を解決し、ヒーターによって充分にゴムパッドが加熱されてから使用することができるようにしてまつげを挟んでいる保持時間を短くし、また、ゴムパッドに電熱ヒーターが埋め込まれていないので消耗品費が嵩むことのない、しかも成形の作業効率のよい、電熱式まつげ成形器を提供することを目的としている。
【０００５】
【課題を解決するための手段】
本発明は、２段階の成形を行う電熱式まつげ成形器であって、まつげ成形に適した形状の成形型を先端に備え移動可能に配置されたパッドと、前記パッドの側面に沿い上下方向に摺動操作可能な補助パッドと、先端に成形型を備える固定的なパッド受けと、前記補助パッドに露出するように保持され前記パッド及び前記パッド受けにそれぞれ接触可能である電熱板とを備え、前記パッドと前記補助パッドとは、前記パッドと前記パッド受けとの間にまつげを挟持して該まつげの第１段階の成形を行うように前記電熱板が前記パッドに接触した状態で共に上昇可能であり、また前記補助パッドは、前記第１段階の成形後に前記電熱板が前記パッド受けに当接して前記まつげの毛先を上方向へ押し上げる第２段階の成形を行うように単独で上昇可能である。
【０００６】
前記電熱板は、これを保持する前記補助パッドの、前記パッドと対向接触する位置に設けた貫通する窓部に前記パッドと前記電熱板面が接触するように落とし込み、前記電熱板の両端部を、前記窓部内側面両端に段差状に設けた支持部に載置した後、前記パッドと接触する側の反対側から押さえ部材を窓部に嵌合することによって取り付けることができる。
【０００７】
前記電熱板は、人体のまつげの根元の曲線にあわせた曲線を備えた板状であって、その両端は前記電熱板を保持する前記補助パッドの窓部内側面両端の支持部に載置可能な形状とすることができる。
【０００８】
前記パッド及び前記補助パッドを上昇下降させる操作つまみと、前記電熱板の通電をオン、オフするスイッチつまみとはそれぞれ別に設け、前記スイッチつまみを前記操作つまみの操作線上に配置することによって、前記スイッチつまみを単独に操作するか、あるいは操作つまみの操作によってスイッチつまみが押圧され連動操作されるか、いずれも可能とすることができる。
【０００９】
前記まつげ成形器本体外形を形成するハウジングの先端から露出する、前記パッド、前記補助パッド及び前記パッド受けをカバーする着脱可能なキャップを設け、不使用時には前記キャップを装着して前記部分をカバーすることができる。
【００１０】
前記キャップの装着により、該キャップの端部がスイッチつまみを押圧することによってスイッチが操作され、前記電熱板の通電が絶たれるようにすることができる。
【００１１】
【発明の実施の形態】
本発明は、まつげをその間に挟んで成形するパッドとパッド受けとの他に、両者の間からはみ出したまつげの毛先をさらに押し上げる補助パッドを設けるようにし、２段階に成形するようにしたものである。そして、パッドを電熱で加熱する手段はパッド自体には設けず、待機状態ではパッドと接触する位置にある補助パッドに電熱板を設けるようにして、電熱板から熱が伝導されるようにした。従って従来２パッド式でそれぞれに加熱手段を設けていたものが１パッドですむので、パッドの交換が容易であり、消耗品費も安価なものとなる。
【００１２】
そして、電熱板に通電するための電源操作を行うスイッチつまみを、カール操作を行う操作つまみとは別に設定し、カール操作に先行して電源をオンすることができるようにした。このようにすることで、パッドが温まるまでまつげを挟んだまま器具をじっと保持している必要がなくなった。
【００１３】
補助パッドの動作は、先行して動作させるパッドに沿って、ほぼ直線的である。従って、作動機構はシンプルなものとなり、低コストに構成することができる。
【００１４】
電熱板は、これを保持する補助パッドの、前記パッドと通常時接触する位置に設けた貫通する窓部にパッドと電熱板面が接触するように落とし込み、電熱板の両端部を、窓部内側面両端に段差状に設けた支持部に載置し、さらにパッドと接触する側の反対側から押さえ部材を窓部に嵌合することによって取り付けるようにする。なお、電熱板は、人体のまつげの根元の曲線にあわせた曲線を備えた板状であって、その両端は電熱板を保持する補助パッドの窓部内側面両端の支持部に載置可能な形状としておく。組み立て手順が簡潔なものとなってコスト低減に効果がある。
【００１５】
前記のように、パッド及び補助パッドを上昇下降させる操作つまみと、電熱板の通電をオン、オフするスイッチつまみとはそれぞれ別に設けるが、このスイッチつまみを、操作つまみの操作線上に配置することによって、スイッチつまみを先行して単独に操作することもでき、あるいは操作つまみの操作によってスイッチつまみが押圧され連動操作することもできるようにした。このようにしておけば、さまざまな状況に対応でき、使い勝手のよいまつげ成形器とすることができる。
【００１６】
また、まつげ成形器本体外形を形成するハウジングの先端から露出する、パッド、補助パッド、パッド受けをカバーする着脱可能なキャップを設け、不使用時には前記キャップを装着して前記部分をカバーするようにする。このようにキャップを設けることで、従来、使用後に余熱が残っていたり、黒い化粧液であるマスカラなどの汚れが付着していたりする場合の弊害を防止することができる。
【００１７】
そして、このキャップの装着により、該キャップの端部がスイッチつまみを押圧することによってスイッチが操作され、電熱板の通電が絶たれるようにする。このようにすれば、電源の切り忘れを防止して、余熱による衣服の損傷や、電池の無駄な消耗を防止できるものとなる。
【００１８】
【実施例】
図はすべて本発明の電熱式まつげ成形器を説明するためのものである。図１に外観の正面図、図２に側面図、図３に下面図を示す。前記各図において、１は本体の外形を形成するハウジング、２はハウジング１の先端に構成されるまつげのカール機構を覆うように形成した着脱可能なキャップ、３は電源としての乾電池等の電池を収容する電池室の装填口を覆う着脱可能な電池蓋である。４はハウジング１の正面に配置されたスイッチつまみ、５は同じくハウジング１の正面に前記のスイッチつまみ４と縦方向に並んで配置された操作つまみである。
【００１９】
図４は、まつげをカールする機構の要部概略を分解斜視図として示すものである。６はパッド受けであって、ハウジング１の内部に固定して配置された左右２本の柱状のパッド受け保持部材６ａの頂点部左右間に跨って形成され、人体のまつげの根元、生え際が前方かつ上方へカーブを描いている曲線に合わせた立体的な曲線を形成するようにしてあり、その断面は後述の図５などに見られるように、二等辺三角形を９０度回転させたような形状である。
【００２０】
７はパッドであり、前記の曲線に合わせてカーブした板状のパッド保持部材７ａの先端縁に取り付けられ、パッド受け６の下方に通常は配置され、後述する操作によってパッド保持部材７ａによって上昇し、上昇させた場合、パッド受け６の下方の縁部に、パッド７の上面が当接してまつげをカールさせる。
【００２１】
８は補助パッドであって、前記パッド保持部材７ａの面に沿って摺動可能な補助パッド保持部材８ｂの先端寄りの側面に電熱板８ａを備えて設けられる。補助パッド８及び電熱板８ａは前記の曲線に合わせてカーブした帯板状で、パッド７同様、通常はパッド受け６の下方に配置され、電熱板８ａの面がパッド７の前面に対向しており、この電熱板８ａが通電され加熱された場合、その熱をパッド７に伝えてこれを加熱する。そして後述する操作によって上昇し、上昇させた場合，パッド受け６の所定部分に当接してまつげをカールさせる。動作の詳細は後述する。
【００２２】
図５から図８においてまつげカール機構の動作を各状態につき、キャップ２を取り外した断面図として図示した。なお、各図において複雑化を避けるため、要部のみを記載するようにしてある。
【００２３】
図５はこれから使用しようとする通常状態を示す。この状態では、スイッチつまみ４及び操作つまみ５はともにハウジング１の正面、所定摺動範囲の最下位置にあり、操作つまみ５の最下方の端部５ａはハウジング１の段差部１ａに当接している。また、スイッチつまみ４の端部４ａは操作つまみ５の上方の端部５ｂに当接している。パッド受け６は前記のようにハウジング１の内部に固定して配置された左右２本の柱状の保持部材６ａの頂点部左右間に跨って形成されているが、図５では中央付近の断面として示され、前記のように９０度回転させた二等辺三角形状として示されている。
【００２４】
パッド７は弾性を適度に有する、例えば耐熱ゴム等の材料で形成され、パッド保持部材７ａの先端に配置される。パッド保持部材７ａは、図示しない機構によって案内されてハウジング１内を上下方向に摺動可能に配置される。９は第１のスプリングであり、引っ張りバネ型のコイルスプリングである。第１のスプリング９はハウジング１の突起１ｂとパッド保持部材７ａの下端との間に架装され、パッド保持部材７ａを常時下方に付勢する。
【００２５】
補助パッド８は先端寄り側面に電熱板８ａを露出させて備える構造であり、下方に延設した補助パッド保持部材８ｂとともにパッド保持部材７ａに沿って上下方向に摺動する。
【００２６】
電熱板８ａの周辺の構造を図１２において要部のみ分解断面図として示す。電熱板８ａは帯板状の部材であって、所定の電流を流すことによって発熱する材料で形成される。帯状の主部はまぶたの曲線に合わせて前記のように立体的な曲線状に形成されるが、両端は平坦部８ｂとなっている。一方、補助パッド８の先端寄りにはこの電熱板８ａを収納するための長手の窓状の穴８ｃが前後に貫通して設けられていて、穴の長手方向の両端には、電熱板８ａの両端の平坦部８ｂを載置するために段差状に平坦部８ｄが形成されている。この穴８ｃに電熱板８ａを落としこみ、電熱板８ａ両端の平坦部８ｂを穴８ｃ両端の平坦部８ｄに載せ、後方から、穴８ｃに対しきつめに嵌合する押さえ部材８ｅを嵌め込んで押さえ込み、組み立てる構造となっている。このようにすることで、電熱板８ａの組み立てや交換作業が簡単なものとなる。
【００２７】
１１は連結部材であり、鉤状をなし、一方の端部１１ａを前記操作つまみ５の突起５ｃに固定、他方の端部１１ｂを補助パッド保持部材８ｂの下端に固定する。１０は第２のスプリングであり、引っ張りバネ型のコイルスプリングである。第２のスプリング１０は、パッド保持部材７ａの下方寄りに設けた突起７ｂと、連結部材１１の突起１１ｃとの間に架装し、両者を常時引き寄せる方向に付勢する。
【００２８】
このような図５の状態から、まつげ成形を行おうとする際、まず電源スイッチをオンとする。その状態を図６に示す。スイッチつまみ４を図のように上方に押し上げる。ハウジング１の段差部１ｃにスイッチつまみ４の上端４ｂが当接した状態となり、本図では図示していない回路がオンとなり、電熱板８ａが通電されて加熱され、対向して接触しているパッド７に熱を伝え、パッド７も適温に加熱される。
【００２９】
パッド７が適温になるまでの時間が経過したところで、まつげに本装置をあてがって、図７のように操作つまみ５を第１の段階まで上昇させる。操作つまみ５の上方への操作に伴い、連結部材１１が上昇移動し、その端部１１ｂに固定されている補助パッド部材８ｂを上昇移動させる。第１のスプリング９と、第２のスプリング１０とは、ばね定数に差を設け、第２のスプリング１０の方を大きく設定してあるので、第２のスプリング１０を介してパッド保持部材７ａを第１のスプリング９の付勢力に抗して上昇させる。パッド保持部材７ａの先端のパッド７がパッド受け６に当接する。ここまでが第１の段階である。パッド７とパッド受け６の間に，図示しないまつげを挟み込み、これを成形する。パッド７は、すでに適温に加熱されており、また、パッド７の当接面はまつげの成形に適するような凹型状であるので、まつげの成形はパッド７の凹部７ｂと、パッド受け６の底角６ｂとの間で、手早く確実に行うことができる。
【００３０】
パッド７とパッド受け６との間に挟持されずにはみ出したまつげの先端は、さらに図８に示す操作で処理される。すなわち、操作つまみ５を図７の状態からさらに上方へスライドさせてその先端部５ｂが再びスイッチつまみ４の下端４ａに当接するまで押し上げる。この状態までが第２段階である。パッド保持部材７ａはその先端のパッド７がすでにパッド受け６に当接しているので、これ以上の上昇移動は不能であり、従って第２のスプリング１０が引き伸ばされて第２のスプリング１０の付勢力に抗して補助パッド保持部材８ｂが上昇移動する。そして、補助パッド保持部材８ｂ先端の補助パッド８の側面に露出している電熱板８ａがパッド受け６の三角形の頂点６ｃに当接し、この部分ではみだしたまつげを成形する。なお、パッド受け６の頂点６ｃには適度のアールを設けてある。
【００３１】
このように、本発明のまつげ整形器によれば、２段階にまつげを成形するので、かたちよく、はみ出した分も成形することができる。また、パッド保持部材７ａ、補助パッド保持部材８ｂには図のように僅かに曲率を持たせてあるのでカール作業がやりやすく、さらに、２段階にわたる各部材の移動動作は、ほぼ直線的であるので、動作機構が複雑化することがない。
【００３２】
成形終了後は、操作つまみ５を最下端まで引き戻す。そしてスイッチつまみ４を同様に元の位置に戻す。あるいは直接、スイッチつまみ４のみを最下位まで引き戻すことによって操作つまみ５も押されて戻るようにする操作もできる。なお、詳細は後述するが、スイッチつまみ４はキャップ２を嵌め込むことによって、自動的に元に戻るようになっているので、この操作は省略することもできる。
【００３３】
図９から図１１においてスイッチつまみ４に関する動作を説明する。図９はスイッチつまみ４が最下位の位置にある状態、つまり電熱スイッチがオフの、不使用の通常待機状態である。４ｄは、スイッチつまみ４の内面側に延設された突起４ｃによって移動する可動接片であり、１３，１４は電池１２の両極につながる電極導体、１５は可動接片４ｄと対向する固定接片であり、固定接片１５と電極導体１３とには電熱板８ａの両極が接続されている。そして図の状態では、スイッチつまみ４の内面に延設された突起４ｃ先端に取り付けられている可動接片４ｄは、一端を電池１２のプラス電極に接している電極１４と接触しているが、他端はどこにも接触せず、従って電熱板８ａには通電されていない。
【００３４】
図１０はスイッチつまみ４を操作して、最上部まで押し上げた状態である。スイッチつまみ４の突起４ｃ先端に取り付けられている可動接片４ｄは移動し、一端を電池１２のプラス電極に接している電極１４と接触し、他端は固定接片１５に接し、電熱板８ａに通電され、これが加熱されるので、前述のようにパッド７にその熱が伝達され、パッド７も所定温度に加熱される。
【００３５】
図１１はまつげ成形の作業が終わり、キャップ２を嵌め込んだ状態である。キャップ２の端面２ａはスイッチつまみ４の端部４ｂを押圧し、これを最下位まで押し下げるので、可動接片４ｄは移動し、図９の不使用待機状態まで戻り、電源をオフとする。従ってキャップ２をかぶせる操作によって電源がオフとなるのでスイッチつまみ４を操作する必要がない。
【００３６】
なお、前記の実施例では、パッド７やパッド受け６、あるいは補助パッド８の幅方向の寸法については説明を省略したが、通常は概ねまつげの横方向の長さと合わせておき、一回の操作で成形が行えるようにするのが望ましいが、場合によっては幅方向の寸法は短く形成し、２度に分ける等して、まつげを成形するようにしてもよい。この場合は外形をコンパクトな器具とすることができる。
【００３７】
また、前記実施例では、電源は単に電池として記載したが、乾電池、充電池などさまざまな電池を利用することが出来ることは言うまでもない。また、電熱による加熱手段も、単に電熱板として記載したが電熱線を内蔵した板部材であっても、あるいはそれ自体が電熱作用を有する板部材であっても支障はない。
【００３８】
【発明の効果】
以上のように本発明の電熱式まつげ成形器によれば、まつげ成形に先行してスイッチつまみを操作して電源スイッチをオンすることができるようにしたので、電熱板を充分に予熱しておくことができ、従来のようにまつげを保持しながら温まるのを待つということがなく、使用しやすいものとなった。
【００３９】
また、第１段階の通常の成形に続いて、はみ出た毛先を第２段階として補助パッドとしての露出した電熱板で直接なで上げる構造としたので、効率のよいまつげ成形を行うことができる。
【００４０】
さらに、従来温熱ゴムパッドが二つ装備されていてまつげを挟むようになっていたパッドを、本発明では、「温熱ゴムパッドが一つとし、はみ出た毛先をヒーターパネルが直接なで上げるカーラー式ヒーターパッドが一つ」の組み合わせ構造としたので、消耗品として認知されていて必要不可欠となっているゴムパッドの交換を安価かつ容易に行うことができる。
【００４１】
また、パッドや補助パッドの上下動作は、単純な，ほぼ直線的な往復運動であるので、その機構も単純であり、低コストに構成することができる。
【００４２】
また、パッド付近を保護するキャップを本体に着脱可能に設けたので、使用後の余熱や、黒い化粧液であるマスカラによる汚れなどの影響を防ぐことができ、また、このキャップを嵌め込むことによって、キャップの端部がスイッチつまみを押し下げて電源をオフするようにしたので、電源を切り忘れることがなく、電池の無駄な消耗を防ぎ、かつ安全な携帯状態を維持するものとなる。
【００４３】
さらに、パッドを押し上げる操作つまみは、その操作方向に配置されているスイッチつまみを同時に押し上げる構造としたので、スイッチつまみの操作を忘れ、電源がオフのままで使い始めようとするようなことがあっても、操作つまみの押し上げ操作によって電源をオンすることができ、使い勝手が良好である。
【図面の簡単な説明】
【図１】本発明の一実施例の外観の正面図である。
【図２】同じく側面図である。
【図３】同じく下面図である。
【図４】本発明の要部の分解斜視図である。
【図５】本発明の一実施例の動作を示す通常状態の側面
断面図である。
【図６】同じくスイッチつまみをオンとした状態の側面
断面図である。
【図７】同じく操作つまみを第１段階とした状態の側面
断面図である。
【図８】同じく操作つまみを第２段階とした状態の側面
断面図である。
【図９】本発明の一実施例のスイッチ動作を示す通常状
態の側面断面図である。
【図１０】同じくスイッチつまみをオンとした状態の側
面断面図である。
【図１１】同じくキャップを嵌めた状態の側面断面図で
ある。
【図１２】補助パッド部材の構造を示す説明図である。
【符号の説明】
１      ハウジング
２      キャップ
３      電池蓋
４      スイッチつまみ
５      操作つまみ
６      パッド受け
７      パッド
８      補助パッド
８ａ    電熱板
９      第１のスプリング
１０      第２のスプリング
１１      連結部材
１２      電池
１３、１４    電極導体
１５      固定接片
【図１】
0003548103.tif 000002
【図２】
0003548103.tif 000003
【図３】
0003548103.tif 000004
【図４】
0003548103.tif 000005
【図５】
0003548103.tif 000006
【図６】
0003548103.tif 000007
【図７】
0003548103.tif 000008
【図８】
0003548103.tif 000009
【図９】
0003548103.tif 000010
【図１０】
0003548103.tif 000011
【図１１】
0003548103.tif 000012
【図１２】
0003548103.tif 000013